(57)【要約】【課題】システム側の稼動負荷が小さく、また、ユーザ側も簡単な操作で運動メニューの実施をシステム側へ伝達可能とすること。【解決手段】サーバ２のメール作成手段５０により、時間設定テーブル２０に記憶したユーザ毎の配信スケジュールに従い、メールログテーブル３０に記憶したユーザ毎の運動メニューの実施状況を示すデータに応じた運動メニューを含む電子メールを作成し、メール送信手段６０によりユーザ端末１へ送信し、メール受信手段７０によりユーザ端末１からの返信メールを受信し、データ更新手段８０により、返信メールを受信した電子メールについてはその運動メニューが実施済みであり、返信メールが受信されなかった電子メールについてはその運動メニューが未実施であるとしてメールログテーブル３０のデータを更新することにより、ユーザの状態に応じた運動メニューの配信を行う。【選択図】            図１
2004199155.tif 000002
【特許請求の範囲】
【請求項１】
ユーザに実施させる運動メニューを、電子メールを用いてユーザ端末へ継続的に配信する運動メニュー配信システムであって、
ネットワークを介してユーザ端末と電子メールを送受信可能に接続され、
少なくともユーザ毎の配信スケジュール及びメールアドレスを記憶するユーザ情報記憶手段と、
ユーザ毎の運動メニューの実施状況を示すデータを記憶する実施状況データ記憶手段と、
ユーザ毎の配信スケジュールに従い、ユーザ毎の運動メニューの実施状況を示すデータに応じた運動メニューを含む電子メールを作成するメール作成手段と、
作成した電子メールをユーザ端末へ送信するメール送信手段と、
前記送信した電子メールに対するユーザ端末からの返信メールを受信するメール受信手段と、
返信メールを受信した電子メールについてはその中の運動メニューが実施済みであり、返信メールが受信されなかった電子メールについてはその中の運動メニューが未実施であるとして、実施状況データ記憶手段のデータを更新するデータ更新手段とを備えた
ことを特徴とする運動メニュー配信システム。
【請求項２】
請求項１記載の運動メニュー配信システムにおいて、
送信する電子メール毎にユニークな送信元アドレスを付与するアドレス付与手段を設けるとともに、
データ更新手段では、受信した返信メールの受信先アドレスを基に対応する電子メールを特定し、実施状況データ記憶手段のデータの更新を行う
ことを特徴とする運動メニュー配信システム。
【請求項３】
請求項１記載の運動メニュー配信システムにおいて、
ユーザ毎の運動メニューの実施状況を示すデータとして、ユーザ端末に送信する電子メール毎に別々のレコードを割り当て、電子メール中の運動メニューの実施状況を記憶する実施状況データ記憶手段を用い、
実施状況データ記憶手段におけるレコードの番号を基に、送信するメール毎にユニークな送信元アドレスを付与するアドレス付与手段を設けるとともに、
データ更新手段では、受信した返信メールの受信先アドレスを基に実施状況データ記憶手段における対応する電子メールのレコードの番号を特定し、当該レコードに運動メニューの実施状況を記憶する
ことを特徴とする運動メニュー配信システム。
【請求項４】
請求項１乃至３いずれか記載の運動メニュー配信システムにおいて、
メール作成手段は、
ユーザに実施させる運動動作と該運動動作を行う基本的な回数またはこれに加えてセット数とからなる運動メニューを複数種類を記憶する運動メニュー記憶手段と、
ユーザ毎に運動メニュー記憶手段から１つの運動メニューを任意もしくは予め設定された順序に従って選択する運動メニュー選択手段と、
選択した運動メニューのうちの回数またはセット数もしくはその両方をユーザ毎の運動メニューの実施状況を示すデータに応じて増減する増減手段と、
回数またはセット数増減後の運動メニューを含むメール文を作成するメール文作成手段とからなる
ことを特徴とする運動メニュー配信システム。
【請求項５】
請求項４記載の運動メニュー配信システムにおいて、
予め設定された順序は、ユーザの年齢、性別、身長、体重、運動の目的等によって異なる
ことを特徴とする運動メニュー配信システム。
【請求項６】
請求項４または５記載の運動メニュー配信システムにおいて、ユーザ毎の運動メニューの実施状況を示すデータとして、ユーザ端末に送信する電子メール毎に別々のレコードを割り当て、電子メール中の運動メニューの実施状況を、当該電子メールに対応する返信メールの受信日時の有無が運動メニューを実施済みか未実施かを表すものとして記憶する実施状況データ記憶手段を用いるとともに、
メール作成手段の増減手段では、選択した運動メニューのうちの回数またはセット数もしくはその両方を、実施状況データ記憶手段に記憶されたユーザ毎の実施済みの運動メニューの数に応じて増加させ、または未実施の運動メニューの数に応じて減少させる
ことを特徴とする運動メニュー配信システム。
【請求項７】
請求項４または５記載の運動メニュー配信システムにおいて、ユーザ毎の運動メニューの実施状況を示すデータとして、ユーザ端末に送信する電子メール毎に別々のレコードを割り当て、電子メール中の運動メニューの実施状況を、当該電子メールの送信日時及び対応する返信メールの受信日時が、これらから計算されるユーザ端末に電子メールを送信してから対応する返信メールを受信するまでの時間が運動メニューの実施に要する時間を推定するものとして記憶する実施状況データ記憶手段を用いるとともに、
メール作成手段の増減手段では、選択した運動メニューのうちの回数またはセット数もしくはその両方を、実施状況データ記憶手段に記憶された運動メニューの実施に要する時間に応じて増加または減少させる
ことを特徴とする運動メニュー配信システム。
【請求項８】
ユーザに実施させる運動メニューを、電子メールを用いてユーザ端末へ配信する運動メニュー配信方法であって、
ネットワークを介してユーザ端末と電子メールを送受信可能に接続されたサーバが、
予め記憶装置に記憶したユーザ毎の配信スケジュールに従い、予め記憶装置に記憶したユーザ毎の運動メニューの実施状況を示すデータに応じた運動メニューを含む電子メールを作成し、
作成した電子メールをユーザ端末へ送信し、
前記送信した電子メールに対するユーザ端末からの返信メールを受信すると、該受信した返信メールに対応する電子メール中の運動メニューが実施済みであるとして記憶装置に記憶した運動メニューの実施状況を示すデータを更新する
ことを特徴とする運動メニュー配信方法。
【発明の詳細な説明】
【０００１】
【発明の属する技術分野】
本発明は、ユーザの状態に応じた運動メニューを電子メールを用いて配信する技術に関する。
【０００２】
【従来の技術】
従来、この種のサービスを提供するシステムとしては、主として生活習慣の改善を目的とした運動メニューを電子メール及びホームページを用いてユーザに提供するとともに、ユーザの状態、特にその心理状態に応じてメニューを変更するシステムがあった。
【０００３】
【発明が解決しようとする課題】
しかし、前述したシステムでは、ユーザの状態を把握するのに、ユーザに対して個別のホームページを提示し、該ホームページ中に設定した質問に対する回答をユーザに入力させる仕組みになっていたため、ユーザ毎に個別のホームページを作成しなければならないという大きな稼動負荷があり、また、ユーザ側も質問に対する回答入力が必要となり、操作の負担が大きいという問題があった。
【０００４】
本発明の目的は、システム側の稼動負荷が小さく、また、ユーザ側も簡単な操作で運動メニューの実施をシステム側へ伝達可能とすることにある。
【０００５】
【課題を解決するための手段】
本発明では前記目的を達成するため、ユーザに実施させる運動メニューを、電子メールを用いてユーザ端末へ継続的に配信する運動メニュー配信システムであって、ネットワークを介してユーザ端末と電子メールを送受信可能に接続され、少なくともユーザ毎の配信スケジュール及びメールアドレスを記憶するユーザ情報記憶手段と、ユーザ毎の運動メニューの実施状況を示すデータを記憶する実施状況データ記憶手段と、ユーザ毎の配信スケジュールに従い、ユーザ毎の運動メニューの実施状況を示すデータに応じた運動メニューを含む電子メールを作成するメール作成手段と、作成した電子メールをユーザ端末へ送信するメール送信手段と、前記送信した電子メールに対するユーザ端末からの返信メールを受信するメール受信手段と、返信メールを受信した電子メールについてはその中の運動メニューが実施済みであり、返信メールが受信されなかった電子メールについてはその中の運動メニューが未実施であるとして、実施状況データ記憶手段のデータを更新するデータ更新手段とを備えたことを特徴とする。
【０００６】
前記構成によれば、ユーザはユーザ端末に電子メールによって配信されてきた運動メニューを実施した後、返信メールを送るのみで良く、また、システム側は当該返信メールを受信するのみでユーザの運動メニューの実施状況を把握することができ、ユーザ毎にホームページを作成するような必要もなく、ユーザの状態に応じた運動メニューを配信することができる。
【０００７】
ここで、送信する電子メール毎にユニークな送信元アドレスを付与するアドレス付与手段を設けるとともに、データ更新手段では、受信した返信メールの受信先アドレスを基に対応する電子メールを特定し、ユーザが実施した運動メニューを特定して実施状況データ記憶手段のデータの更新を行うようにすれば、ユーザ端末からの返信メールとして中身のないメールを用いることが可能となる。
【０００８】
より詳細には、ユーザ毎の運動メニューの実施状況を示すデータとして、ユーザ端末に送信する電子メール毎に別々のレコードを割り当て、電子メール中の運動メニューの実施状況を記憶する実施状況データ記憶手段を用い、実施状況データ記憶手段におけるレコードの番号を基に、送信するメール毎にユニークな送信元アドレスを付与するアドレス付与手段を設けるとともに、データ更新手段では、受信した返信メールの受信先アドレスを基に実施状況データ記憶手段における対応する電子メールのレコードの番号を特定し、当該レコードに運動メニューの実施状況を記憶するようにすれば良い。
【０００９】
また、メール作成手段は、ユーザに実施させる運動動作と該運動動作を行う基本的な回数またはこれに加えてセット数とからなる運動メニューを複数種類を記憶する運動メニュー記憶手段と、ユーザ毎に運動メニュー記憶手段から１つの運動メニューを任意もしくは予め設定された順序に従って選択する運動メニュー選択手段と、選択した運動メニューのうちの回数またはセット数もしくはその両方をユーザ毎の運動メニューの実施状況を示すデータに応じて増減する増減手段と、回数またはセット数増減後の運動メニューを含むメール文を作成するメール文作成手段とから構成することができる。
【００１０】
この際、予め設定された順序は、ユーザの年齢、性別、身長、体重、運動の目的等によって異なるものとすることができる。
【００１１】
また、メール作成手段の増減手段において、運動メニューのうちの回数またはセット数もしくはその両方をユーザ毎の運動メニューの実施状況を示すデータに応じて増減する当たって、ユーザ毎の運動メニューの実施状況を示すデータとして、ユーザ端末に送信する電子メール毎に別々のレコードを割り当て、電子メール中の運動メニューの実施状況を、当該電子メールに対応する返信メールの受信日時の有無が運動メニューを実施済みか未実施かを表すものとして記憶する実施状況データ記憶手段を用いた場合は、実施状況データ記憶手段に記憶されたユーザ毎の実施済みの運動メニューの数に応じて増加させ、または未実施の運動メニューの数に応じて減少させることができ、また、ユーザ毎の運動メニューの実施状況を示すデータとして、ユーザ端末に送信する電子メール毎に別々のレコードを割り当て、電子メール中の運動メニューの実施状況を、当該電子メールの送信日時及び対応する返信メールの受信日時が、これらから計算されるユーザ端末に電子メールを送信してから対応する返信メールを受信するまでの時間が運動メニューの実施に要する時間を推定するものとして記憶する実施状況データ記憶手段を用いた場合は、実施状況データ記憶手段に記憶された運動メニューの実施に要する時間に応じて増加または減少させることができる。
【００１２】
【発明の実施の形態】
図１は本発明の運動メニュー配信システムの実施の形態の一例を示すもので、図中、１は複数の各ユーザが使用するユーザ端末、２は本システムのサービスを提供するサーバ、３はネットワークである。
【００１３】
ここで、ユーザ端末１としては、ネットワーク３を介してサーバ２との間で電子メールを送受信可能な端末、例えばｉモード（登録商標）の携帯電話を用いるものとする。
【００１４】
サーバ２は、基本情報テーブル１０、時間設定テーブル２０、メールログテーブル３０、アドレス付与手段４０、メール作成手段５０、メール送信手段６０、メール受信手段７０及びデータ更新手段８０からなっている。
【００１５】
基本情報テーブル１０は、ユーザ毎の基本的な情報を記憶するもので、図２に示すように、ユーザＩＤ、ユーザ名、メールアドレス、コースコード、施設運動、ログテーブルＮｏ．、直前文言を記憶する。ここで、コースコードとは、サーバ２が提供する運動（エクササイズ）のコース（例えば、「筋力アップ」、「スタミナアップ」、「ウエイトコントロール」、「健康増進」等）のうち、ユーザが選択したコースを示すものである。また、施設運動とは、特別な器具等を備えたスポーツ施設を用いた運動を行うか否かを示すものである。また、ログテーブルＮｏ．とは、メールログテーブル３０におけるレコード名（後述する）を示すものである。また、直前文言とは、直前に送信したメール中の文章である。
【００１６】
なお、図示しないが、ユーザ毎の年齢、性別、身長、体重等も記憶しているものとする。
【００１７】
時間設定テーブル２０は、ユーザ毎の配信スケジュールを記憶するもので、図３に示すように、ユーザＩＤ、シリアル番号、曜日、時間を記憶する。ここで、シリアル番号とは、一日に複数のメールを出せるようにするための上限数字を示すものである。また、曜日及び時間とは、運動メニューを含む電子メール（エクササイズメール）を配信する曜日及び時間のうち、ユーザが選択した曜日及び時間を示すものである。
【００１８】
なお、請求項１では、基本情報テーブル１０及び時間設定テーブル２０を総称してユーザ情報記憶手段と記している。
【００１９】
メールログテーブル３０は、ユーザ毎の運動メニューの実施状況を示すデータを記憶するもの（実施状況データ記憶手段）で、ここではユーザ端末に送信する電子メール毎に別々のレコードを割り当て、電子メール中の運動メニューの実施状況を、当該電子メールの送信日時及び対応する返信メールの受信日時によって記憶する、特に受信日時の有無は運動メニューを実施済みか未実施かを表す（受信日時があれば実施済み、なければ未実施）ものとして記憶し、かつ電子メールの送信日時及び対応する返信メールの受信日時はこれらから計算されるユーザ端末に電子メールを送信してから対応する返信メールを受信するまでの時間が運動メニューの実施に要する時間を推定するものとして記憶するようになしている（なお、現実には、ユーザが運動メニューを未実施のまま返信メールを送ることも可能であるが、本出願ではそのような場合は想定外とする。）。
【００２０】
図４はメールログテーブル３０の一例を示すもので、ユーザＩＤ、識別ＩＤ、送信データＮｏ．、送信データカテゴリ、送信日時、受信日時を記憶する。ここで、識別ＩＤは、レコードを識別するための番号である。また、送信データＮｏ．及び送信データカテゴリは、後述する運動メニューテーブルにおけるものと同一である。また、送信日時は電子メールの送信日時、受信日時は返信メールの受信日時である。
【００２１】
前述したメールログテーブル３０は、各ユーザ毎または一定数（例えば、５０００人）のユーザ毎に別々に設けられ、それぞれ異なるテーブル名（テーブルＮｏ．）が付与されている。
【００２２】
アドレス付与手段４０は、送信する電子メール毎にユニークな送信元アドレス（正確には、ユニークなのはメールアドレスのユーザ名の部分のみ）を付与するためのもので、詳細には前述したメールログテーブル３０におけるテーブル名及び未使用のレコードの番号（識別ＩＤ）を基に、ユーザ毎及び送信するメール毎にユニークな送信元アドレスを作成し、メール作成手段５０へ渡す。なお、この際、テーブル名及びレコードの番号のいずれか一方もしくは両方を一定のルールに従って暗号化しておくことにより、ユーザになりすました第三者による返信メールを排除することができる。
【００２３】
メール作成手段５０は、ユーザ毎の配信スケジュールに従い、ユーザ毎の運動メニューの実施状況を示すデータに応じた運動メニューを含む電子メールを作成するもので、図５に示すように、運動メニューテーブル（運動メニュー記憶手段）５１、運動メニュー選択手段５２、増減手段５３及びメール文作成手段５４から構成されている。
【００２４】
運動メニューテーブル５１は、ユーザに実施させる運動動作と該運動動作を行う基本的な回数またはこれに加えてセット数とからなる運動メニューを複数種類を記憶するもので、図６に示すように、送信データＮｏ．、送信データカテゴリ、タイトル、説明文、Ｅａ指数（男）、Ｅａ指数（女）、施設連動フラグを記憶する。
【００２５】
ここで、送信データＮｏ．は、当該運動メニューの番号である。送信データカテゴリは、当該運動メニューがどのようなカテゴリ（例えば、「ストレッチ」、「筋力トレーニング１」、「筋力トレーニング２」、「筋力トレーニング３」、「有酸素運動」等）に属する運動メニューであるかを示すものである。なお、これらのカテゴリの運動メニューの様々な組合せによって基本情報テーブルで述べた各コースのエクササイズが提供される。
【００２６】
また、タイトルは、当該運動メニューの名称である。また、説明文は、ユーザに実施させる運動動作と該運動動作を行う基本的な回数及びセット数（またはこれらに加えて制限時間）とからなる運動メニューの本文（但し、運動メニューのカテゴリによっては回数やセット数、制限時間がないものもある。）である。また、Ｅａ指数（男）及びＥａ指数（女）は、当該運動メニューを実施した時の男女それぞれの消費カロリーの目安を算定する係数である。また、施設連動フラグは、当該運動メニューが特定の施設内でのみ実施可能か否かを示すフラグである。
【００２７】
運動メニュー選択手段５２は、時間設定テーブル２０に記憶された曜日及び時間になると、運動メニューテーブル５１から１つの運動メニューを任意もしくは予め設定された順序に従って選択する。詳細には、通常、基本情報テーブル１０に記憶されたユーザのコース、年齢、性別等に応じて予め決められたシナリオの順序に従って運動メニューテーブル５１から１つの運動メニューを選択する。なお、当該ユーザが施設運動を行わないユーザ（基本情報テーブル１０の施設運動の項目が「否」）であれば、施設連動フラグが特定の施設内でのみ実施可能である運動メニューは除外される。
【００２８】
増減手段５３は、選択した運動メニューのうちの回数またはセット数もしくはその両方をユーザ毎の運動メニューの実施状況を示すデータに応じて増減する。詳細には、当該ユーザのメールログテーブル３０から受信日時が返信メールを受信してないことを表す値（例えば、初期値の「９９９９９９９９」）でないものの数（実施済みの運動メニューの数）をカウントし、これに応じて回数またはセット数もしくはその両方を増加させ、または受信日時が返信メールを受信してないことを表す値であるものの数（未実施の運動メニューの数）をカウントし、これに応じて回数またはセット数もしくはその両方を減少させる。
【００２９】
また、メールログテーブル３０中の各レコードから電子メールの送信日時及び対応する返信メールの受信日時を取得し、ユーザ端末に電子メールを送信してから対応する返信メールを受信するまでの時間をそれぞれ計算し、これらから運動メニューの実施に要する時間を推定し、これに応じて回数またはセット数もしくはその両方を増加または減少させるようになしても良い。
【００３０】
但し、前述したように、運動メニューのカテゴリによっては、運動メニューの実施状況に拘わらず回数やセット数を変更しない場合もある。また、ユーザ毎の運動メニューの実施状況を示すデータに応じた運動メニューとして、前述した回数やセット数を変更するのではなく、配信する運動メニューの種類を変更しても良い。
【００３１】
メール文作成手段５４は、回数またはセット数増減後の運動メニューを含むメール文を作成する。詳細には、予め設定された定型のメール文中に、前記選択した運動メニューのタイトル、運動動作の本文、増減後の回数またはセット数、消費カロリーを書き込み、ユーザのメールアドレスを受信先アドレスとし、メールアドレス付与手段４０で作成されたメールアドレスを送信元アドレスとしたメール文を作成する。図７に作成したメールの一例を示す。
【００３２】
また、この際、メールログテーブル３０の該当レコードに前記作成した電子メールのログを記録する（送信日時としては、実際にはメール作成時の日時を記録する。）。
【００３３】
メール送信手段６０は、メール作成手段５０で作成した電子メールをユーザ端末１へ送信し、また、メール受信手段７０は、ユーザ端末１からの電子メール（返信メール）を受信する。
【００３４】
データ更新手段８０は、返信メールを受信した電子メールについてはその中の運動メニューが実施済みであり、返信メールが受信されなかった電子メールについてはその中の運動メニューが未実施であるとして、メールログテーブル３０のデータを更新する。詳細には、受信した返信メールの受信先アドレスを基にメールログテーブル３０における対応する電子メールのテーブル名及びレコードの番号を特定（テーブル名及びレコードの番号のいずれか一方もしくは両方を暗号化した時は、当然、その復号を行った上で）し、当該レコードに受信日時を運動メニューの実施済みを表すものとして記憶する（受信日時としては、実際には処理している瞬間の日時を記録する。）。なお、返信メールが受信されなかった電子メールに対応するメールログテーブル３０のレコードには当然、何もされない（受信日時は記憶されない）。
【００３５】
なお、この際、受信日時と送信日時を比較し、時間差が極端に短いものは実施したことが疑わしいとして、また、極端に長いものはその効果が疑問であるとして、未実施扱い（受信日時を記憶しない）にしても良い。
【００３６】
以上説明したように、ユーザはユーザ端末１に電子メールによって配信されてきた運動メニューを実施した後、返信メールを送るのみで、運動メニューの実施をサーバ２側へ伝達でき、サーバ２側では当該返信メールを受信するのみでユーザが運動メニューを実施したか未実施かを把握することができ、ユーザ毎にホームページを作成するような必要もなく、ユーザの状態に応じた運動メニューを配信することができる。また、電子メールにはそれぞれユニークな送信元アドレスを付与してあり、サーバ２側では返信メールの受信先アドレスから対応する電子メールを特定可能なため、ユーザは中身のない返信メールを用いることができる。
【００３７】
なお、各ユーザは、前述したエクササイズメールの配信サービスを受けるのに先立って、エクササイズのコース、配信スケジュール、メールアドレス等を含むユーザ登録を行う必要があるが、これらの登録やその変更、抹消に関わるサーバの構成や動作については、通常のこの種の情報サービス提供の場合と同様であるから説明を省略する。また、メール配信に伴うユーザからの料金徴収についても、この種の情報サービス提供の場合と同様、ネットワークを提供する通信会社あるいはクレジットカード会社を通じて行うことができる。
【００３８】
【発明の効果】
以上説明したように、本発明によれば、ユーザはユーザ端末に電子メールによって配信されてきた運動メニューを実施した後、返信メールを送るのみで運動メニューの実施をシステム側へ伝達することができ、また、システム側は当該返信メールを受信するのみでユーザの運動メニューの実施状況を把握することができ、ユーザ毎にホームページを作成するような稼働不可もなく、ユーザの状態に応じた運動メニューを配信することができる。
【図面の簡単な説明】
【図１】本発明の運動メニュー配信システムの実施の形態の一例を示す構成図
【図２】基本情報テーブルの一例を示す説明図
【図３】時間設定テーブルの一例を示す説明図
【図４】メールログテーブルの一例を示す説明図
【図５】メール作成手段の詳細を示す構成図
【図６】メールデータテーブルの一例を示す説明図
【図７】エクササイズメールの一例を示す説明図
【符号の説明】
１：ユーザ端末、２：サービス提供サーバ、３：ネットワーク、１０：基本情報テーブル、２０：時間設定テーブル、３０：メールログテーブル、４０：アドレス付与手段、５０：メール作成手段、５１：運動メニューテーブル、５２：運動メニュー選択手段、５３：増減手段、５４：メール文作成手段、６０：メール送信手段、７０：メール受信手段、８０：データ更新手段。
【図１】
2004199155.tif 000003
【図２】
2004199155.tif 000004
【図３】
2004199155.tif 000005
【図４】
2004199155.tif 000006
【図５】
2004199155.tif 000007
【図６】
2004199155.tif 000008
【図７】
2004199155.tif 000009